(57)【要約】  第１のセル（６１）から第２のセル（６２）への移動局のハンドオーバの制御方法は、移動局（５）の位置における第１のセル（６１）の無線品質が第１のレベルである場合に、第１のセルの無線品質が第１のレベルより高い第２のレベルである場合に比べて、ハンドオーバの開始条件が満足されてからハンドオーバが開始されるまでの遅延時間が短くなるようにハンドオーバパラメータを調整することを含む。これにより、例えば、ＨＣＳ（ＨｅｔＮｅｔ）において、ハンドオーバの失敗とピンポン／ラピッド・ハンドオーバを共に低減するとともに、小規模セルに一定時間以上滞在することが期待される移動局を小規模セルに効率よく収容することができる。
2012090357.tif 000002
【特許請求の範囲】
【請求項１】
第１のセルから第２のセルへの移動局のハンドオーバの制御方法であって、
前記移動局の位置における前記第１のセルの無線品質が第１のレベルである場合に、前記第１のセルの無線品質が前記第１のレベルより高い第２のレベルである場合に比べて、ハンドオーバの開始条件が満足されてから前記ハンドオーバが開始されるまでの遅延時間が短くなるようにハンドオーバパラメータを調整すること、
を備えるハンドオーバ制御方法。
【請求項２】
前記ハンドオーバパラメータは、待機時間を含み、
前記ハンドオーバパラメータを調整することは、前記第１のセルの無線品質が前記第１のレベルである場合に使用される第１の待機時間を、前記第１のセルの無線品質が前記第２のレベルである場合に使用される第２の待機時間に比べて短くすることを含む、
請求項１に記載のハンドオーバ制御方法。
【請求項３】
前記第１及び第２の待機時間は、前記開始条件が継続して満足されなければならない期間の判定に適用される、
請求項２に記載のハンドオーバ制御方法。
【請求項４】
前記開始条件は、
前記第１のセルの無線品質が第１の閾値未満であり且つ前記第２のセルの無線品質が第２の閾値を上回ることを含む第１の条件と、
前記第２のセルの無線品質が第３の閾値を上回ることを含む第２の条件と、
を含み、
前記制御方法は、
前記第１の条件が満足される期間が前記第１の待機時間を超えて継続することを含む第１の状態が満足された場合に前記ハンドオーバを開始すること、及び
前記第２の条件が満足される期間が前記第２の待機時間を超えて継続することを含む第２の状態が満足された場合に前記ハンドオーバを開始すること、
をさらに備える請求項２又は３に記載のハンドオーバ制御方法。
【請求項５】
前記第２の閾値と前記第３の閾値は同一である、請求項４に記載のハンドオーバ制御方法。
【請求項６】
前記開始条件は、
前記第１のセルの無線品質が第１の閾値未満であり且つ前記第２のセルの無線品質が第２の閾値を上回ることを含む第１の条件と、
前記第２のセルの無線品質が前記第１のセルの無線品質に比べて第４の閾値を超えて高いことを含む第２の条件と、
を含み、
前記制御方法は、
前記第１の条件が満足される期間が前記第１の待機時間を超えて継続することを含む第１の状態が満足された場合に前記ハンドオーバを開始すること、及び
前記第２の条件が満足される期間が前記第２の待機時間を超えて継続することを含む第２の状態が満足された場合に前記ハンドオーバを開始すること、
をさらに備える請求項２又は３に記載のハンドオーバ制御方法。
【請求項７】
前記第１及び第２の待機時間を用いた前記第１及び第２の状態の判定は、前記第２のセルの無線品質の測定結果に関する前記移動局からの測定報告に基づいて、前記第１のセルのハンドオーバ制御主体によって行われる、請求項４〜６のいずれか１項に記載のハンドオーバ制御方法。
【請求項８】
前記第１及び第２の待機時間を用いた前記第１及び第２の状態の判定は、前記移動局によって行われる、請求項４〜６のいずれか１項に記載のハンドオーバ制御方法。
【請求項９】
前記第１又は第２の状態の満足を判定した前記移動局からの通知に応じて、前記第１のセルのハンドオーバ制御主体によって、前記第２のセルのハンドオーバ制御主体との間で前記ハンドオーバのためのシグナリングを開始することをさらに備える、請求項８に記載のハンドオーバ制御方法。
【請求項１０】
前記通知は、前記第２のセルの無線品質の測定結果に関する測定報告を含む、請求項９に記載のハンドオーバ制御方法。
【請求項１１】
前記測定報告は、前記移動局から前記ハンドオーバ制御主体へ周期的に送信される、請求項７又は１０に記載のハンドオーバ制御方法。
【請求項１２】
前記ハンドオーバの履歴に基づき、前記第１のセルと前記第２のセルの間でのToo Earlyハンドオーバ、ピンポン・ハンドオーバ、及びラピッド・ハンドオーバのうち少なくとも１項目の発生頻度を抑えるために、前記第２の待機時間を過去値より長くすることをさらに備える、請求項１〜１１のいずれか１項に記載のハンドオーバ制御方法。
【請求項１３】
前記ハンドオーバの履歴に基づき、前記第１のセルから前記第２のセルへのToo Lateハンドオーバの発生頻度を抑えるために、前記第１の閾値を過去値より大きくすることをさらに備える、請求項４〜１１のいずれか１項に記載のハンドオーバ制御方法。
【請求項１４】
前記第２のセルでの移動局の滞在時間の統計情報に基づき、前記第２のセルを通過する移動局のうち実質的に所定の割合が前記第２のセルへのハンドオーバを行うように、前記第２の待機時間を調整することをさらに備える、請求項１〜１３のいずれか１項に記載のハンドオーバ制御方法。
【請求項１５】
前記第１及び第２の状態に基づく上述したハンドオーバの開始制御は、前記第１のセルから前記第２のセルへのハンドオーバ失敗、ピンポン・ハンドオーバ、及びラピッド・ハンドオーバのうち少なくとも１項目の発生頻度が基準レベルを超える場合に限って選択的に行われる、請求項４〜６のいずれか１項に記載のハンドオーバ制御方法。
【請求項１６】
前記第１のセルから前記第２のセルへのハンドオーバ失敗、ピンポン・ハンドオーバ、及びラピッド・ハンドオーバのうち少なくとも１項目の発生頻度が基準レベルを超える場合に、前記第１及び第２の状態に基づく上述したハンドオーバの開始制御を行い、
前記発生頻度が前記基準レベルを下回る場合に、前記発生頻度が前記基準レベルを越える場合とは異なるハンドオーバの開始制御を行う、
請求項４〜６のいずれか１項に記載のハンドオーバ制御方法。
【請求項１７】
前記第１及び第２の状態に基づく上述したハンドオーバの開始制御は、前記第２のセルが前記第１のセルよりカバレッジの小さい小規模セルである場合に限って選択的に行われる、請求項４〜６、１５、１６のいずれか１項に記載のハンドオーバ制御方法。
【請求項１８】
前記第１のセルのハンドオーバ制御主体は、前記第１のセルを管理する基地局装置、又は前記基地局装置が接続される上位ネットワークに配置された無線ネットワーク制御装置（Radio Network Controller）である、請求項７、９〜１１のいずれか１項に記載のハンドオーバ制御方法。
【請求項１９】
ハンドオーバパラメータを用いて、第１のセルから第２のセルへの移動局のハンドオーバ開始の契機とされるハンドオーバ開始状態を判定する判定手段を備え、
前記ハンドオーバパラメータは、前記移動局の位置における前記第１のセルの無線品質が第１のレベルである場合に、前記第１のセルの無線品質が前記第１のレベルより高い第２のレベルである場合に比べて、ハンドオーバの開始条件が満足されてから前記ハンドオーバが開始されるまでの遅延時間が短くなるように調整されている、
制御装置。
【請求項２０】
前記ハンドオーバパラメータは、前記第１のセルの無線品質が前記第１のレベルである場合に使用される第１の待機時間と、前記第１のセルの無線品質が前記第２のレベルである場合に使用される第２の待機時間を含み、
前記第１の待機時間は、前記２の待機時間に比べて短く調整されている、
請求項１９に記載の制御装置。
【請求項２１】
前記第１及び第２の待機時間は、前記開始条件が継続して満足されなければならない期間の判定に適用される、
請求項２０に記載の制御装置。
【請求項２２】
前記開始条件は、
前記第１のセルの無線品質が第１の閾値未満であり且つ前記第２のセルの無線品質が第２の閾値を上回ることを含む第１の条件と、
前記第２のセルの無線品質が第３の閾値を上回ることを含む第２の条件と、
を含み、
前記判定手段は、
前記第１の条件が満足される期間が前記第１の待機時間を超えて継続することを含む第１の状態が満足されたことによって前記ハンドオーバ開始状態の成立を判定し、
前記第２の条件が満足される期間が前記第２の待機時間を超えて継続することを含む第２の状態が満足されたことによって前記ハンドオーバ開始状態の成立を判定する、
請求項２０又は２１に記載の制御装置。
【請求項２３】
前記第２の閾値と前記第３の閾値は同一である、請求項２２に記載の制御装置。
【請求項２４】
前記開始条件は、
前記第１のセルの無線品質が第１の閾値未満であり且つ前記第２のセルの無線品質が第２の閾値を上回ることを含む第１の条件と、
前記第２のセルの無線品質が前記第１のセルの無線品質に比べて第４の閾値を超えて高いことを含む第２の条件と、
を含み、
前記判定手段は、
前記第１の条件が満足される期間が前記第１の待機時間を超えて継続することを含む第１の状態が満足されたことによって前記ハンドオーバ開始状態の成立を判定し、
前記第２の条件が満足される期間が前記第２の待機時間を超えて継続することを含む第２の状態が満足されたことによって前記ハンドオーバ開始状態の成立を判定する、
請求項２０又は２１に記載の制御装置。
【請求項２５】
前記制御装置は、前記第１のセルのハンドオーバ制御主体に配置される、請求項１９〜２４のいずれか１項に記載の制御装置。
【請求項２６】
前記制御装置は、前記移動局に配置され、
前記ハンドオーバ開始状態が判定されたことに応じて、前記ハンドオーバの契機として利用される通知を前記第１のセルのハンドオーバ制御主体に向けて送信する送信手段をさらに備える、
請求項１９〜２４のいずれか１項に記載の制御装置。
【請求項２７】
前記通知は、前記第２のセルの無線品質の測定結果に関する測定報告を含む、請求項２６に記載の制御装置。
【請求項２８】
前記判定手段による、前記第１及び第２の状態に基づく上述したハンドオーバの開始制御は、前記第１のセルから前記第２のセルへのハンドオーバ失敗、ピンポン・ハンドオーバ、及びラピッド・ハンドオーバのうち少なくとも１項目の発生頻度が基準レベルを超える場合に限って選択的に行われる、請求項２２〜２７のいずれか１項に記載の制御装置。
【請求項２９】
前記判定手段は、
前記第１のセルから前記第２のセルへのハンドオーバ失敗、ピンポン・ハンドオーバ、及びラピッド・ハンドオーバのうち少なくとも１項目の発生頻度が基準レベルを超える場合に、前記第１及び第２の状態に基づく上述したハンドオーバの開始制御を行い、
前記発生頻度が前記基準レベルを下回る場合に、前記発生頻度が前記基準レベルを越える場合とは異なるハンドオーバの開始制御を行う、
請求項２２〜２７のいずれか１項に記載の制御装置。
【請求項３０】
前記判定手段による、前記前記第１及び第２の状態に基づく上述したハンドオーバの開始制御は、前記第２のセルが前記第１のセルよりカバレッジの小さい小規模セルである場合に限って選択的に行われる、請求項２２〜２９のいずれか１項に記載の制御装置。
【請求項３１】
請求項１９〜３０のいずれか１項に記載の制御装置と結合して使用され、前記ハンドオーバの履歴、及び前記第２のセルでの移動局の滞在時間の統計情報の少なくとも一方に基づき、前記ハンドオーバパラメータを調整する調整装置。
【請求項３２】
請求項２０〜２４のいずれか１項に記載の制御装置と結合して使用され、前記ハンドオーバの履歴に基づき、前記第１のセルと前記第２のセルの間でのToo Earlyハンドオーバ、ピンポン・ハンドオーバ、及びラピッド・ハンドオーバのうち少なくとも１項目の発生頻度を抑えるために、前記第２のＴＴＴを過去値より長くするパラメータ調整手段を備える、請求項３１に記載の調整装置。
【請求項３３】
請求項２２〜２４のいずれか１項に記載の制御装置と結合して使用され、前記ハンドオーバの履歴に基づき、前記第１のセルと前記第２のセルの間でのToo Earlyハンドオーバ、ピンポン・ハンドオーバ、及びラピッド・ハンドオーバのうち少なくとも１項目の発生頻度を抑えるために、前記第３の閾値を過去値より大きくするパラメータ調整手段を備える、請求項３１又は３２に記載の調整装置。
【請求項３４】
請求項２２〜２４のいずれか１項に記載の制御装置と結合して使用され、前記ハンドオーバの履歴に基づき、前記第１のセルから前記第２のセルへのToo Lateハンドオーバの発生頻度を抑えるために、前記第１の閾値を過去値より大きくするパラメータ調整手段を備える、請求項３１〜３３のいずれか１項に記載の調整装置。
【請求項３５】
請求項２０〜２４のいずれか１項に記載の制御装置と結合して使用され、前記第２のセルでの移動局の滞在時間の統計情報に基づき、前記第２のセルを通過する移動局のうち実質的に所定の割合が前記第２のセルへのハンドオーバを行うように、前記第２の待機時間を調整するパラメータ調整手段を備える、請求項３１〜３４のいずれか１項に記載の調整装置。
【請求項３６】
第１のセルから第２のセルへの移動局のハンドオーバの開始制御をコンピュータに行わせるプログラムを格納した非一時的なコンピュータ可読媒体であって、
前記開始制御は、ハンドオーバパラメータを用いて前記ハンドオーバの開始の契機とされるハンドオーバ開始状態を判定することを備え、
前記ハンドオーバパラメータは、前記移動局の位置における前記第１のセルの無線品質が第１のレベルである場合に、前記第１のセルの無線品質が前記第１のレベルより高い第２のレベルである場合に比べて、ハンドオーバの開始条件が満足されてから前記ハンドオーバが開始されるまでの遅延時間が短くなるように調整されている、
プログラムを格納した非一時的なコンピュータ可読媒体。
【発明の詳細な説明】
【技術分野】
【０００１】
本発明は、セルラ無線通信におけるハンドオーバの制御に関する。
【背景技術】
【０００２】
様々なシステムにおいて、ある動作状態から他の動作状態への状態遷移条件が満足されてから実際にその状態遷移を開始するまでの遅延時間時間を調整するために、いわゆるＴＴＴ（Time to Trigger）が用いられている。ＴＴＴは、待機時間（hold time）又は保護時間（guard time）等と呼ばれる場合もある。一般的に、ＴＴＴは、状態遷移条件が継続して満足されなければならない期間の判定に適用される。すなわち、状態遷移条件がＴＴＴを超えて継続した場合に、実際に状態遷移が開始される。このため、ＴＴＴが長いほど状態遷移が発生し難くなる。ＴＴＴを用いてヒステリシスを導入することで、２つの動作状態間での状態遷移を頻繁に繰り返すピンポン現象を防止できる。【０００３】
セルラ無線通信では、移動局のハンドオーバの失敗、及び隣接するセル間での短い期間におけるハンドオーバの繰り返し（ピンポン・ハンドオーバ）や短期間の滞在の後、別のセルへハンドオーバ（ラピッド・ハンドオーバ）を防止するために、ハンドオーバの制御パラメータ（以下、ハンドオーバ（ＨＯ）パラメータ）の１つとしてＴＴＴが用いられる。ハンドオーバとは、サービングセルと通信中である移動局の隣接セルへのコネクション切り替えを意味する。通信中とは、例えば、ＵＴＲＡＮ（UMTS Terrestrial Radio Access Network）であれば、基地局または基地局制御局（Radio network Controller（ＲＮＣ））と移動局の間に個別チャネル（Dedicated Channel（ＤＣＨ））が確立された状態（CELL_DCH状態）を意味する。また、Ｅ−ＵＴＲＡＮ（Evolved UTRAN）では、ダウンリンク及びアップリンクのシェアードチャネル（Physical Downlink Shared Channel（ＰＤＳＣＨ）及びPhysical Downlink Shared Channel（ＰＵＳＣＨ））を用いて基地局と移動局の間でデータ送受信が行われるRRC_CONNECTED状態が、"通信中"に相当する。【０００４】
ＵＴＲＡＮ及びＥ−ＵＴＲＡＮでは、サービングセルを管理する基地局又はＲＮＣ等のサービングセルのハンドオーバ制御主体は、所定のＨＯ開始条件が満足された場合に測定報告を送信するよう移動局に指示する。ＨＯ開始条件は、例えば、サービングセルの無線品質の劣化である。なお、Ｅ−ＵＴＲＡＮのＨＯに関わる測定に関して、3GPPの技術仕様 TS 36.331では以下のイベントＡ１〜Ａ５の５つが規定されている。一般的にイベントＡ３及びＡ５のうちいずれか一方がＨＯ開始条件として使用される。
・Event A1: Serving becomes better than absolute threshold;
・Event A2: Serving becomes worse than absolute threshold;
・Event A3: Neighbour becomes amount of offset better than serving;
・Event A4: Neighbour becomes better than absolute threshold;
・Event A5: Serving becomes worse than absolute threshold1 AND Neighbour becomes better than another absolute threshold2.
移動局によって生成される測定報告は、サービングセルに隣接する隣接セル（隣接セル群）の無線品質の測定結果を含む。サービングセルのハンドオーバ制御主体は、移動局から測定報告を受信したことに応じて、測定報告に基づいてハンドオーバ先のセル（ターゲットセル）を決定し、ターゲットセルのハンドオーバ制御主体との間でハンドオーバのためのシグナリングを開始する。【０００５】
つまり、ＵＴＲＡＮ及びＥ−ＵＴＲＡＮにおける移動局による測定報告の送信は、ＨＯ開始要求に相当し、ハンドオーバ開始のトリガ動作として利用される。このため、ＵＴＲＡＮ及びＥ−ＵＴＲＡＮでは、ＨＯ開始条件が最初に満足されてから実際に測定報告が送信されるまでの遅延時間を調整するためにＴＴＴが用いられている。移動局は、例えば、隣接セルの無線品質が周辺セルの無線品質を上回るというＨＯ開始条件が継続して満足される期間がＴＴＴを超えたことによってハンドオーバ（ＨＯ）開始状態を判定し、ＨＯ開始要求としての測定報告を送信する。ＴＴＴが長いほどＨＯ開始条件の継続期間が長期間でなければならないため、ハンドオーバの開始タイミングが遅くなるとともに、ハンドオーバが発生し難くなる。【０００６】
なお、本明細書では、移動局のハンドオーバ開始の契機とされる状態のことを「ＨＯ開始状態」と呼ぶ。「ＨＯ開始状態」は、「ＨＯ開始条件」が継続して満足される期間がＴＴＴを超えたことによって判定される。「ＨＯ開始状態」が満足されたことに応じて、移動局のハンドーバが開始される。【０００７】
さらに、セルラ無線通信では、十分な通信容量の要求および十分なカバレッジの要求に応えるための１つの解として、大規模セル（例えばマクロセル）と小規模セル（例えばマイクロセル、ピコセル、フェムトセル）をオーバラップさせたセル配置を採用することが知られている。大規模セルと小規模セルのオーバラップは、大規模セル内に小規模セルが完全に包含される完全なオーバラップだけでなく、大規模セルのカバレッジの一部と小規模セルのカバレッジの一部が重なる部分的なオーバラップも含む。このようなセル配置は、階層化セル構造（Hierarchical Cell Structure（ＨＣＳ））、又はHeterogeneous Network（ＨｅｔＮｅｔ）と呼ばれている。【０００８】
非特許文献１は、ＨＣＳ（ＨｅｔＮｅｔ）におけるハンドオーバ失敗の低減に関する検討結果を示している。より具体的に述べると、非特許文献１は、特に移動局が高速移動しており且つＴＴＴ（Time to Trigger）が長い場合に、マクロセルからピコセルへのハンドオーバの失敗率がマクロセル間ハンドオーバの失敗率に比べて著しく大きくなることを示すシミュレーション結果を提示している。そこで、非特許文献１は、ピコセルへのハンドオーバに対してマクロセルへのハンドオーバとは異なるＴＴＴの設定が必要であることを提案している。【０００９】
また、特許文献１は、高速移動している移動局の大規模セル（例えばマクロセル）から小規模セル（例えばマイクロセル）へのハンドオーバを低減することを目的の１つとする技術を開示している。具体的に述べると、特許文献２は、ＨＣＳ（ＨｅｔＮｅｔ）において、マイクロセルのダウンリンクカバレッジをアップリンクカバレッジに比べて小さくする技術を開示している。特許文献１は、ダウンリンクカバレッジの減少を達成するための具体的手法として、（１）マイクロセルのパイロット送信電力の低減、（２）マイクロセル基地局の下りアンテナのチルト角の調整、（３）ハンドオーバの決定に使用されるマイクロセルのパイロット受信電力をオフセット付加によって仮想的に減少させること、の３通りを開示している。特許文献１に開示された技術によれば、マクロセルからマイクロセルへのハンドオーバが減少することが期待される。【００１０】
さらにまた、セルラ無線通信では、ＳＯＮ（Self Organizing Network）に関する技術の１つとしてハンドオーバ最適化（Handover Optimization）が知られている。特許文献２は、移動端末の測定報告に基づき、ＴＴＴを含むＨＯパラメータを動的に調節することによって、ハンドオーバ失敗（Too Late Handover，Too Early Handover）を低減することを開示している。具体的に述べると、特許文献２は、Too Lateハンドオーバの低減のためにＴＴＴを減少させ、Too Earlyハンドオーバの低減のためにＴＴＴを増加させることを開示している。
【先行技術文献】
【特許文献】
【００１１】
【特許文献１】国際公開２００５／０５７９７５号
【特許文献２】国際公開２０１０／００２９２６号
【非特許文献】
【００１２】
【非特許文献１】3GPP寄書、R2-104017 "Mobility support to pico cells in the co-channel HetNet deployment"、2010年6月
【発明の概要】
【発明が解決しようとする課題】
【００１３】
本願の発明者等は、上述した非特許文献１並びに特許文献１及び２の技術では、ＨＣＳ（ＨｅｔＮｅｔ）に適応したハンドオーバの最適化を十分に達成できない問題があることを見出した。以下に、この問題点について詳しく説明する。【００１４】
非特許文献１は、ピコセルに対するＴＴＴをマクロセルに対するＴＴＴに比べて短くすることによって、ハンドオーバ失敗を低減することを示唆している。しかしながら、ピコセルに対するＴＴＴを単に短くしたのでは、ピコセルへのハンドオーバが促進される。このため、非特許文献１の技術では、高速移動する移動局のハンドオーバ失敗（Too Earlyハンドオーバ）、ピンポン・ハンドオーバ及びラピッド・ハンドオーバが生じやすいという問題がある。【００１５】
同様に、特許文献２の技術を使用すると、高速移動する移動局のハンドオーバ失敗がToo Lateハンドオーバと判定される。このため、Too Lateハンドオーバの低減のためにＴＴＴを短くする調整が行われる。よって、特許文献２の技術でも、高速移動する移動局のハンドオーバ失敗（Too Earlyハンドオーバ）、ピンポン・ハンドオーバ及びラピッド・ハンドオーバが生じやすいという問題がある。【００１６】
これらに対して、単にＴＴＴを長くしたのでは、サービングセルであるマクロセルの無線品質の劣化によって移動局の通信断絶（Too Lateハンドオーバ）が起こる可能性が高まる。つまり、ＴＴＴを長くするとToo Earlyハンドオーバ、ピンポン・ハンドオーバ及びラピッド・ハンドオーバを低減できるがToo Lateハンドオーバが増加し、ＴＴＴを短くするとToo Lateハンドオーバを低減できるがToo Earlyハンドオーバ、ピンポン・ハンドオーバ及びラピッド・ハンドオーバが増加するという相反関係がある。【００１７】
なお、特許文献１は、上述したように、小規模セルのパイロット受信電力にオフセットを付加することで仮想的に小規模セルのダウンリンクカバレッジを減少させることを開示しているが、ＴＴＴの調整に関して何ら開示していない。また、ＨＣＳ（ＨｅｔＮｅｔ）では、大規模セルから小規模セルへのハンドオーバの失敗を低減したり、ピンポン・ハンドオーバ及びラピッド・ハンドオーバを低減したりするのみでは不十分である。すなわち、ＨＣＳ（ＨｅｔＮｅｔ）導入の主要な目的には、大規模セルのトラフィックを小規模セルにオフロードすることによる負荷分散、小規模セルによる高速サービスの提供等がある。これらの目的を達成するためには、小規模セルに一定時間以上滞在することが期待される移動局を小規模セルに収容できるようにしなければならない。しかしながら、特許文献１に開示された技術では、小規模セルのダウンリンクカバレッジを減少させてしまうため、小規模セルへのハンドオーバが抑制され、かつ小規模セルの通信容量が低下する。したがって、小規模セルへのトラフィックのオフロードが不十分になるという問題がある。【００１８】
本発明は、発明者等による上述の考察に基づいてなされたものである。すなわち、本発明の目的は、ＨＣＳ（ＨｅｔＮｅｔ）において、ハンドオーバの失敗とピンポン・ハンドオーバを共に低減するとともに、小規模セルに一定時間以上滞在することが期待される移動局を小規模セルに効率よく収容することが可能なハンドオーバ制御方法、制御装置、調整装置、及びプログラムを提供することである。
【課題を解決するための手段】
【００１９】
本発明の第１の態様は、第１のセルから第２のセルへの移動局のハンドオーバの制御方法を含む。当該方法は、前記移動局の位置における前記第１のセルの無線品質が第１のレベルである場合に、前記第１のセルの無線品質が前記第１のレベルより高い第２のレベルである場合に比べて、ハンドオーバの開始条件が満足されてから前記ハンドオーバが開始されるまでの遅延時間が短くなるようにハンドオーバパラメータを調整することを含む。【００２０】
本発明の第２の態様は、制御装置を含む。当該制御装置は、ハンドオーバパラメータを用いて、第１のセルから第２のセルへの移動局のハンドオーバ開始の契機とされるハンドオーバ開始状態を判定する判定部を含む。ここで、前記ハンドオーバパラメータは、前記移動局の位置における前記第１のセルの無線品質が第１のレベルである場合に、前記第１のセルの無線品質が前記第１のレベルより高い第２のレベルである場合に比べて、ハンドオーバの開始条件が満足されてから前記ハンドオーバが開始されるまでの遅延時間が短くなるように調整されている。【００２１】
本発明の第３の態様は、調整装置を含む。当該調整装置は、上述した本発明の第２の態様に係る制御装置と結合して使用される。当該調整装置は、前記ハンドオーバの履歴に基づき、前記ハンドオーバパラメータを調整するよう構成されている。【００２２】
本発明の第４の態様は、コンピュータプログラムを含む。当該プログラムは、コンピュータに読み込まれて実行されることによって、第１のセルから第２のセルへの移動局のハンドオーバの開始制御をコンピュータに行わせる。当該開始制御は、ハンドオーバパラメータを用いて前記ハンドオーバの開始の契機とされるハンドオーバ開始状態を判定することを含む。また、前記ハンドオーバパラメータは、前記移動局の位置における前記第１のセルの無線品質が第１のレベルである場合に、前記第１のセルの無線品質が前記第１のレベルより高い第２のレベルである場合に比べて、ハンドオーバの開始条件が満足されてから前記ハンドオーバが開始されるまでの遅延時間が短くなるように調整されている。
【発明の効果】
【００２３】
上述した本発明の各態様によれば、ＨＣＳ（ＨｅｔＮｅｔ）において、ハンドオーバの失敗、ピンポン・ハンドオーバ及びラピッド・ハンドオーバを低減するとともに、小規模セルに一定時間以上滞在することが期待される移動局を小規模セルに効率よく収容することが可能となる。
【図面の簡単な説明】
【００２４】
【図１】本発明の実施の形態１に係るセルラ通信ネットワークの構成例を示す図である。
【図２】本発明の実施の形態１に係るセルラ通信ネットワークの他の構成例を示す図である。
【図３】本発明の実施の形態１に係るセルラ通信ネットワークのさらに他の構成例を示す図である。
【図４】本発明の実施の形態１に係るハンドオーバ開始状態の判定方法の第１の具体例を示すフローチャートである。
【図５】図４の第１の具体例に関するシーケンス図である。
【図６】本発明の実施の形態１に係るハンドオーバ開始状態の判定方法の第２の具体例を示すフローチャートである。
【図７】本発明の実施の形態１に係るハンドオーバ開始状態の判定方法の第３の具体例を示すフローチャートである。
【図８】図７の第３の具体例に関するシーケンス図である。
【図９】本発明の実施の形態２に係るセルラ通信ネットワークの構成例を示す図である。
【図１０】本発明の実施の形態２に係るハンドオーバ開始状態の判定方法の具体例を示すフローチャートである。
【図１１】本発明の実施の形態３に係るセルラ通信ネットワークの構成例を示す図である。
【図１２】本発明の実施の形態３に係るセルラ通信ネットワークの他の構成例を示す図である。
【図１３】本発明の実施の形態３に係るハンドオーバ開始状態の判定条件の切り替え方法の具体例を示すフローチャートである。
【図１４】本発明の実施の形態４に係るセルラ通信ネットワークの構成例を示す図である。
【図１５】本発明の実施の形態４に係るハンドオーバパラメータの調整方法の具体例を示すフローチャートである。
【図１６】本発明の実施の形態５に係るハンドオーバパラメータの調整方法の具体例を示すフローチャートである。
【図１７】本発明の実施の形態６に係るセルラ通信ネットワークの構成例を示す図である。
【図１８】隣接セルでの移動局の滞在時間の累積分布関数（Cumulative Distribution Function（ＣＤＦ））の例を示すグラフである。
【図１９】本発明の実施の形態６に係るハンドオーバパラメータの調整方法の具体例を示すフローチャートである。
【発明を実施するための形態】
【００２５】
以下では、本発明を適用した具体的な実施の形態について、図面を参照しながら詳細に説明する。各図面において、同一又は対応する要素には同一の符号が付されており、説明の明確化のため、必要に応じて重複説明は省略される。
【００２６】
＜発明の実施の形態１＞
図１は、本実施の形態に係るネットワークの構成例を示す図である。本実施の形態に係るハンドオーバ制御方法は、ハンドオーバ（ＨＯ）開始状態判定部１１により行われる。ＨＯ開始状態判定部１１は、サービングセル６１に接続して通信中である移動局（User Equipment（ＵＥ））５が隣接セル６２へハンドオーバする際の契機とされるＨＯ開始状態を判定する。ＨＯ開始状態判定部１１は、ＨＯ開始条件が満足されてからハンドオーバが開始されるまでの遅延時間を設けるために、待機時間（hold time）すなわちＴＴＴを用いる。つまり、ＨＯ開始状態判定部１１は、ＨＯ開始条件が満足される期間がＴＴＴを超えて継続することによってＨＯ開始状態を判定する。ここで、ＨＯ開始状態判定部１１は、２つのＨＯ開始条件に対して異なるＴＴＴを使用することによって、２つのＨＯ開始状態を判定することを特徴としている。
【００２７】
具体的に述べると、ＵＥ５の位置におけるサービングセル６１の無線品質が相対的に低い第１のレベルである場合に使用される第１のＴＴＴ（ＴＴＴ１）は、ＵＥ５の位置におけるサービングセルの無線品質が相対的に高い第２のレベルである場合に使用される第２のＴＴＴ（ＴＴＴ２）に比べて短い値に調整される。言い換えると、ＨＯ開始状態判定部１１は、ＵＥ５の位置におけるサービングセル６１の無線品質が相対的に低い場合に対応する第１のＨＯ開始条件に対して相対的に短い第１のＴＴＴ（ＴＴＴ１）を使用し、ＵＥ５の位置におけるサービングセル６１の無線品質が相対的に高い場合に対応する第２のＨＯ開始条件に対して相対的に長い第２のＴＴＴ（ＴＴＴ２）を使用する。
【００２８】
つまり、本実施の形態に係るＨＯ開始状態の判定方法によれば、ＵＥ５の位置におけるサービングセル６１の無線品質が相対的に低い第１のレベルである場合には、サービングセル６１の無線品質が相対的に高い第２のレベルである場合に比べてＨＯ開始条件が満足されてからハンドオーバが開始されるまでの遅延時間が短くなる。これにより、サービングセル６１の無線品質が劣化した場合（第１品質レベル）には、相対的に短いＴＴＴ１の効果によって、ＨＯ開始条件が満足されてから短時間でハンドオーバが開始される。このため、ＵＥ５を隣接セル６２にいち早くハンドオーバさせることができ、ハンドオーバ失敗（Too Late Handover）の発生を低減できる。
【００２９】
また、サービングセル６１の無線品質がそれほど劣化していない場合（第２の品質レベル）には、相対的に長いＴＴＴ２の効果によって、ＨＯ開始条件が長時間継続して成立することが必要とされる。このため、隣接セル６２へのハンドオーバが発生し難くなる。これにより、特に、サービングセル６１に比べて隣接セル６２のカバレッジが小さいＨＣＳ（ＨｅｔＮｅｔ）である場合、例えば、サービングセル６１がマクロセルであり、隣接セル６２がマイクロセル、ピコセル、又はフェムトセルである場合に利点がある。すなわち、相対的に長いＴＴＴ２を使用することによって、ＵＥ５が高速移動中である場合には、ＴＴＴ２が満了する前に再び隣接セル６２の無線品質が劣化することが期待される。これにより、隣接セル６２を短時間で通過してしまうＵＥのハンドオーバが開始されないため、ハンドオーバの失敗（Too Early Handover）、ピンポン・ハンドオーバ及びラピッド・ハンドオーバを抑制できる。一方、ＵＥ５の移動速度が遅い場合には、ＴＴＴ２の満了によって隣接セル６２へのハンドオーバが開始される。これにより、隣接セル６２への滞在時間が長いと予想されるＵＥを隣接セル６２にハンドオーバさせることができ、サービングセル６１の負荷を分散することができる。
【００３０】
上述したことから明らかであるように、本実施の形態のＨＯ開始状態判定部１１により行われるＨＯ開始状態の判定方法によれば、ＨＣＳ（ＨｅｔＮｅｔ）において、ハンドオーバの失敗、ピンポン・ハンドオーバ及びラピッド・ハンドオーバを低減するとともに、小規模セルに一定時間以上滞在することが期待されるＵＥ５を小規模セルに効率よく収容することが可能となる。
【００３１】
以下では、本実施の形態に係るＨＯ開始状態の判定方法を実際のネットワークに適用した例について具体的に説明する。図１において、ＨＯ制御装置１００は、ＨＯ制御装置２００とシグナリングすることによって、サービング基地局３によって管理されるサービングセル６１と隣接基地局４により管理される隣接セル６２の間の外向き（Outbound）及び内向き（Inbound）のハンドオーバを制御する。ＨＯ制御装置２００は、隣接セル６２のハンドオーバ制御主体である。ＨＯ制御装置１００は、上述したＨＯ開始状態判定部１１及びＨＯ制御部１２を含む。ＨＯ制御部１２は、ＨＯ開始状態判定部１１によってＨＯ開始状態が判定された場合に、ターゲットセル（ここでは隣接セル６２）を決定し、ターゲットセルのＨＯ制御部２２との間でＵＥ５のハンドオーバのためのシグナリングを開始する。例えば、ＨＯ開始状態判定部１１は、ＵＥ５から送信される測定報告（Measurement Report（ＭＲ））を参照して、ＨＯ条件の成立及びＨＯ開始状態の成立を判定すればよい。また、例えば、ＨＯ開始状態判定部１１は、ＨＯ開始条件が満足されたことを示す通知をＵＥ５から受信し、この通知の継続的に受信される期間によってＨＯ開始状態を判定してもよい。すなわち後者の場合には、ＨＯ開始条件の成立はＵＥ５が判定し、ＴＴＴを用いたＨＯ開始状態の成立はＨＯ開始状態判定部１１が判定する。ＨＯ制御部１２は、例えば、ＵＥ５から送信される測定報告を参照してターゲットセルを決定するとよい。
【００３２】
ＵＥ５は、測定報告を送信する送信部５１を含み、サービングセル６１及び隣接セル６２の無線品質の測定結果を含む測定報告を無線送信する。ＵＥ５によって測定されるセルの無線品質の典型的な例は、基地局から送信される無線信号（ダウンリンク信号）の受信信号品質である。受信信号品質は、例えば、パイロット信号・リファレンス信号等の受信電力、ＳＩＮＲ（Signal to Noise Interference Ratio）である。ＵＴＲＡＮの場合、セルの無線品質は、共通パイロットチャネル（ＣＰＩＣＨ：Common Pilot Channel）の受信電力（CPICH RSCP: Received Signal Code Power）、又はＣＰＩＣＨのEc/Noとすればよい。また、Ｅ−ＵＴＲＡＮの場合、セルの無線品質は、下りリファレンス信号（Downlink Reference Signal）の受信電力（RSRP: Reference Signal Received Power）、又は受信品質（RSRQ: Reference Signal Received Quality）とすればよい。
【００３３】
ところで、ＨＯ開始状態判定部１１、並びにＨＯ制御部１２及び２２の配置は、ネットワークアーキテクチャの設計思想に基づいて適宜決定されるものである。例えば、本実施の形態をＵＴＲＡＮに適用する場合、図２に示すように、ＵＥ５にＨＯ開始状態判定部１１を配置し、無線リソース管理機能及びハンドオーバ制御機能を有するＲＮＣ７１及び７２にＨＯ制御部１２及び２２をそれぞれ配置してもよい。この場合、ＨＯ制御部１２及び２２は、ＲＮＣ間の通信インタフェース（lurインタフェース）を用いてハンドオーバのシグナリングを行う。なお、サービングセル６１と隣接セル６２の無線リソース管理が同一のＲＮＣ（Radio Network Controller）によって行われる場合がある。この場合には、ＨＯ制御部２２及びＲＮＣ７２を設ける必要はない。ＨＯ開始状態判定部１１は、第１のＨＯ開始条件及びＴＴＴ１を用いた第１のＨＯ開始状態、又は第２のＨＯ開始条件及びＴＴＴ２を用いた第２のＨＯ開始状態の成立を判定した場合に、隣接セル６２の無線品質の測定結果を含む測定報告をＲＮＣ７１に送信する。上述したように、ＵＴＲＡＮでは、ＵＥ５から送信される測定報告は、ＨＯ開始状態を満足したことの通知、又はＨＯの開始要求として使用される。
【００３４】
また、本実施の形態をＥ−ＵＴＲＡＮに適用する場合、図３に示すように、ＵＥ５にＨＯ条件判定部１１を配置し、無線リソース管理機能及びハンドオーバ制御機能を有する基地局（eNB）３及び４にＨＯ制御部１２及び２２をそれぞれ配置してもよい。この場合、ＨＯ制御部１２及び２２は、基地局間の通信インタフェース（X2インタフェース）、又はコアネットワークに配置されるＭＭＥ（Mobility Management Entity）との間の通信インタフェース（S1-MMEインタフェース）を用いてハンドオーバのシグナリングを行う。また、ＨＯ開始状態判定部１１は、ＵＭＴＳの場合と同様に、第１のＨＯ開始条件及びＴＴＴ１を用いた第１のＨＯ開始状態、又は第２のＨＯ開始条件及びＴＴＴ２を用いた第２のＨＯ開始状態の成立を判定した場合に、隣接セル６２の無線品質の測定結果を含む測定報告を基地局３に送信する。
【００３５】
以下では、ＨＯ開始状態判定部１１によるＨＯ開始状態の判定手順の具体例を図４〜６のフローチャートを用いて説明する。図４のフローチャートによって示される第１の具体例は、ＵＥ５とは異なる上位ネットワーク側の制御装置がＨＯ開始状態の判定を行う場合を示している。図４のステップＳ１１では、ＨＯ開始状態判定部１１は、ＵＥ５から収集した測定報告を用いて、第１のＨＯ開始条件が継続して満足される期間（継続期間）がＴＴＴ１を超えるか否かを判定する。上述したように、第１のＨＯ開始条件は、ＵＥ５の位置におけるサービングセル６１の無線品質が相対的に低い場合に対応する。例えば、図４に示しているように、第１のＨＯ開始条件は、「サービングセル６１の無線品質ＱＳが閾値ＴＨ１未満であり、かつ隣接セルの無線品質ＱＮが閾値ＴＨ２を超える」とすればよい。この定義は、3GPP TS 36.331に規定されている"Event A5"に対応する。第１の開始条件の継続期間がＴＴＴ１を超える場合（ステップＳ１１でＹＥＳ）、ＨＯ開始状態判定部１１は、第１のＨＯ開始状態の成立を判定し、ＨＯ制御部１２にハンドオーバの開始を要求する。当該要求に応じて、ＨＯ制御部１２はハンドオーバを開始する（ステップＳ１３）。
【００３６】
一方、サービングセルの無線品質ＱＳが劣化していない場合、第１のＨＯ開始条件は満足されず、第１のＨＯ開始状態の成立は判定されない（ステップＳ１１でＮＯ）。ＱＳが劣化していない場合とは、例えば、ＱＳがＴＨ１以上である場合、又はＱＳがＴＨ１未満となる期間が瞬間的でありＴＴＴ１に満たない場合である。これらの場合、ＨＯ開始状態判定部１１は、ＴＴＴ１より長いＴＴＴ２を用いて、第２のＨＯ開始条件の継続期間を判定する（ステップＳ１２）。上述したように、第２のＨＯ開始条件は、ＵＥ５の位置におけるサービングセル６１の無線品質が相対的に高い場合に対応する。例えば、図４に示しているように、第２のＨＯ開始条件は、「隣接セルの無線品質ＱＮが閾値ＴＨ３を超える」とすればよい。この定義は、3GPP TS 36.331に規定されている"Event A4"に対応する。ここで、閾値ＴＨ３は、閾値ＴＨ２と同じ値でもよい。第２のＨＯ開始条件の定義にサービングセル６１の無線品質に関する条件を明示的に入れる必要は無い。なぜなら、第１のＨＯ開始条件に対してＴＴＴ２より短いＴＴＴ１を用いているために、サービングセル６１の品質が悪い場合には第１のＨＯ開始状態が先に満たされるからである。つまり、第２のＨＯ開始状態の判定には、「サービングセル６１の無線品質ＱＳが閾値ＴＨ１未満となる継続期間がＴＴＴ１に満たない」が暗黙的に含まれている。第２のＨＯ開始条件の継続期間がＴＴＴ２を超える場合（ステップＳ１２でＹＥＳ）、ＨＯ開始状態判定部１１は、第２のＨＯ開始状態の成立を判定し、ＨＯ制御部１２にハンドオーバの開始を要求する。当該要求に応じて、ＨＯ制御部１２はハンドオーバを開始する（ステップＳ１３）。
【００３７】
次に、図４に示した第１の具体例をＥ−ＵＴＲＡＮに適用した場合の動作を図５のシーケンス図を用いて説明する。基地局３は、ＵＥ５へ送信するRRCConnectionReconfigurationメッセージを用いて、Measurement Reportを発行するためのイベント種別、発行条件、発行回数、及び発行周期を指定する（Ｓ１０１）。図５の例では、基地局３はEvent A4を指定する。Event A4は、サービングセルと隣接セルの無線品質を移動局に定期的に報告させるトリガとして使用される。また発行回数および発行周期は適切な値が設定されるものとする。
【００３８】
次に、ＵＥ５においてEvent A4を発行するための条件が成立したとする（Ｓ１０２）。すると、ＵＥ５はEvent A4を基地局３へ発行する（Ｓ１０３）。
【００３９】
ＵＥ５は、基地局３からの指示に基づき、周期的にサービングセル６１と隣接セル６２の無線品質をMeasurement Reportメッセージを用いて報告する（Ｓ１０５、Ｓ１０７）。基地局３は、Measurement Reportメッセージを受信すると、ＨＯ開始状態判定部１１において第１及び第２のＨＯ開始状態のいずれかが成立したか否かを判断する（Ｓ１０６、Ｓ１０８）。第１及び第２のＨＯ開始状態のいずれかが成立すると（Ｓ１０８）、ＨＯ制御部１２はハンドオーバ先の基地局４との間でＨＯシグナリングを実施し、ＵＥ５をハンドオーバさせる（Ｓ１０９〜Ｓ１１２）。
【００４０】
図４に示した第１及び第２のＨＯ開始条件の組合せは一例に過ぎない。つまり、第１のＨＯ開始条件は、"サービングセル６１の無線品質が劣化すること"を含んでいればよい。一方、第２のＨＯ開始条件は、"隣接セル６２の無線品質が良好であること"を含んでいればよい。図６に示す第２の具体例は、第２のＨＯ開始条件を図４のものから変更した例を示している。図６に示すように、ステップＳ１２に適用する第２のＨＯ開始条件の定義は、「隣接セルの無線品質ＱＮがサービングセルの無線品質ＱＳより閾値ＴＨ４を超える」としてもよい。この定義は、3GPP TS 36.331に規定されている"Event A3"に対応する。
【００４１】
図７のフローチャートによって示される第３の具体例は、ＵＥ５がＨＯ開始状態を判定する場合を示している。ＨＯ開始状態判定部１１は、図４のステップＳ２０〜Ｓ２５のループ処理を各隣接セルについて繰り返し行う。ループ処理内のステップＳ２１では、ＨＯ開始状態判定部１１は、サービングセル６１及び隣接セル６２を含む隣接セル群の無線品質の測定結果を用いて、第１のＨＯ開始条件の継続期間がＴＴＴ１を超えるか否かを判定する。図７に示す第１のＨＯ開始条件は、図４に示したものと同一である。第１のＨＯ開始条件の継続期間がＴＴＴ１を超える場合（ステップＳ２１でＹＥＳ）、ＨＯ開始状態判定部１１は、第１のＨＯ開始状態の成立を判定し、対象の隣接セルに関して第１のＨＯ開始条件の成立（又は第１のＨＯ開始状態の成立）を記録する（ステップＳ２３）。
【００４２】
サービングセルの無線品質ＱＳが劣化していない場合（ステップＳ２１でＮＯ）、ＨＯ開始状態判定部１１は、ＴＴＴ１より長いＴＴＴ２を用いて、第２のＨＯ開始条件の継続を判定する（ステップＳ２２）。図６に示す第２のＨＯ開始条件は、図４に示したものと同一である。第２の開始条件の継続期間がＴＴＴ２を超える場合（ステップＳ２２でＹＥＳ）、ＨＯ開始状態判定部１１は、第２のＨＯ開始状態の成立を判定し、対象の隣接セルに関して第２のＨＯ開始条件の成立（又は第２のＨＯ開始状態の成立）を記録する（ステップＳ２４）。
【００４３】
ＵＥ５が検出した全ての隣接セルについてループ処理（ステップＳ２０〜Ｓ２５）が終了し、第１及び第２の開始条件の成立が記録された場合、送信部５１は、ＨＯ開始要求を上位ネットワークに配置されたハンドオーバ制御主体に送信する（ステップＳ２６）。ＨＯ開始要求は、例えば、第１及び第２の開始条件の成立記録を含む測定報告としてもよい。
【００４４】
次に、図７に示した第３の具体例をＥ−ＵＴＲＡＮに適用した場合の動作を図８のシーケンス図を用いて説明する。基地局３は、ＵＥ５へ送信するRRCConnectionReconfigurationメッセージを用いて、Measurement Reportを発行するためのイベント種別と発行条件、報告のタイプを指定する（Ｓ２０１）。図７の例では、基地局３はEvent A5とEvent A4を指定する。Event A5は、第１のＨＯ開始条件の継続期間がＴＴＴ１以上となったときに発行されるイベントであり、上述の第１のＨＯ開始状態に対応する。Event A4は、第２のＨＯ開始条件の継続期間がＴＴＴ２以上となったときに発行されるイベントであり、上述の第２のＨＯ開始状態に対応する。
【００４５】
ＵＥ５は、Event A4又はEvent A5の発行（つまり、第１又は第２のＨＯ開始状態の成立）を判断したとき（Ｓ２０２）、基地局３へMeasurement Reportを発行する（Ｓ２０３）。
【００４６】
基地局３はMeasurement Reportを受信すると、ＨＯ制御部１２において本レポート内の情報を用いてハンドオーバ先の基地局４を決定する。そして基地局４との間でＨＯシグナリングを実施し、ＵＥ５をハンドオーバさせる（Ｓ２０４〜Ｓ２０７）。
【００４７】
＜発明の実施の形態２＞
本実施の形態では、上述した発明の実施の形態１の変形例について説明する。図９は、本実施の形態に係るネットワークの構成例を示す図である。図９は、図１〜３に示したＨＯ条件判定部１１の代わりにＨＯ条件判定部２１１を含む。
【００４８】
本実施の形態に係るＨＯ開始状態判定部２１１は、隣接セル６２のセル種別を識別し、隣接セル６２のセル種別がサービングセル６１よりカバレッジ（セルサイズ）の小さい小規模セルである場合に限り、２つのＨＯ開始条件並びに２つのＴＴＴ（ＴＴＴ１及びＴＴＴ２）を用いて第１及び第２のＨＯ開始状態を判定する。一方、隣接セル６２のセル種別がサービングセル６１と同じである場合には、２つのＨＯ開始条件並びに２つのＴＴＴ（ＴＴＴ１及びＴＴＴ２）を用いた２つのＨＯ開始状態の判定を行わずに、従来行われているのと同様に１つのＨＯ開始条件及び１つのＴＴＴ（例えば第１のＨＯ開始条件及びＴＴＴ１）を用いた１つのＨＯ開始状態（例えば第１のＨＯ開始状態）の判定を行う。なお、ＨＯ開始状態判定部２１１は、隣接セル６２のセル種別が特定の小規模セル（例えばピコセル）である場合に限り、２つのＨＯ開始条件並びにＴＴＴ１及びＴＴＴ２を用いて第１及び第２のＨＯ開始状態を判定してもよい。
【００４９】
ＨＯ開始状態判定部２１１は、使用するＨＯ開始状態（ＨＯ開始条件及びＴＴＴを含む）を決定するためにセル種別情報を用いる。セル種別情報は、隣接セル６２のセルサイズの違いを識別可能であればよい。例えば、セル種別情報は、セルサイズを直接的に示す情報であってもよい。また、セル種別情報は、マクロセル、マイクロセル、ピコセル、フェムトセル等のセルサイズに応じて区分された属性のいずれに隣接セルが属するかを示す識別子であってもよい。また、セル種別情報は、各隣接セル６２を管理する基地局による無線信号（e.g. パイロット信号、下りリファレンス信号）の送信電力レベルを示す情報であってもよい。また、セル種別情報は、セルの用途を示す情報、例えば、通常のセルであるか、又は負荷分散のために設置された通常のセルに比べて小さいセルであるかを識別できる情報であってもよい。
【００５０】
図９に示すように、セル種別情報は、様々な経路でＨＯ条件判定部２１１に供給可能である。ＨＯ条件判定部２１１がＵＥ５とは異なる上位ネットワーク側の装置（基地局３、ＲＮＣ７１等）に配置される場合、隣接セル情報は、ＵＥ５によって生成される測定報告、又は複数の測定報告を基地局３等が集計した集計情報を参照することで取得できる。ＵＥ５の測定報告又は集計情報からセル種別情報を取得する場合、隣接セル６２を管理する各基地局の送信信号にセル種別情報を含めればよい。また、セル種別情報は、基地局３又はこれを管理するエレメント管理システム（Element Management System）若しくはネットワーク管理システム（ＮＭＳ：Network Management System）が保持しているネットワーク設計情報から取得されてもよい。ネットワーク設計情報は、通信事業者のオペレータ等によって作成されたセルレイアウトの情報を含む。また、セル種別情報は、ＵＥ５の測定報告又はその集計情報と、ネットワーク設計情報の両方から取得されてもよい。
【００５１】
ＨＯ開始状態判定部２１１は、ＨＯ開始状態判定部１１に関して図２及び図３を用いて説明したのと同様に、ＵＥ５に配置されてもよい。ＨＯ開始状態判定部２１１がＵＥ５に配置される場合、ＵＥ５は、隣接セル６２を管理する各基地局の送信信号に含まれるセル種別情報を取得すればよい。
【００５２】
図１０は、本実施の形態に係るＨＯ開始状態の判定手順の具体例を示すフローチャートである。図１０の例では、隣接セル６２がピコセルかそれ以外かによって、使用するＨＯ開始状態（ＨＯ開始条件及びＴＴＴを含む）を切り替える。ステップＳ３１では、ＨＯ開始状態判定部２１１は、判定対象の隣接セル６２がピコセルであるか否かを判定する。隣接セル６２がピコセルである場合（ステップＳ３１でＹＥＳ）、ＨＯ開始状態判定部２１１は、実施の形態１で説明した２つのＴＴＴ１及びＴＴＴ２を用いる手順に従って２つのＨＯ開始状態を判定する（ステップＳ３２）。例えば、ステップＳ３２では、図４〜６を用いて説明した第１〜第３の具体例のいずれかを用いればよい。
【００５３】
隣接セル６２がピコセルでない場合（ステップＳ３１でＮＯ）、ＨＯ開始状態判定部２１１は、隣接セル６２がピコセルである場合とは異なる手順でＨＯ開始状態を判定する（ステップＳ３３）。例えば、ＨＯ開始状態判定部２１１は、図４に具体的に示すように、第１のＨＯ開始状態（つまり、ＴＴＴ１を用いた第１のＨＯ開始条件の継続）の判定のみを行えばよい。また、ステップＳ３３では、第２のＨＯ開始状態の判定のみを行ってもよい。隣接セル６２がピコセルでない場合、例えばマクロセルである場合には、高速移動中のＵＥにおけるハンドオーバ失敗(Too Earlyハンドオーバ)の発生はピコセルほど深刻とはならないため、従来から行われているのと同様の１通りのＨＯ開始状態（つまり、１つのＨＯ開始条件及び１つのＴＴＴ）を用いた判定のみを行えばよい。
【００５４】
本実施の形態によれば、ハンドオーバのターゲットセルのセルサイズに応じた適切なＨＯ開始状態をハンドオーバ開始の判定に用いることができるため、ハンドオーバ特性の劣化の抑制に寄与することができる。
【００５５】
＜発明の実施の形態３＞
本実施の形態では、上述した発明の実施の形態１の変形例について説明する。図１１は、本実施の形態に係るネットワークの構成例を示す図である。図１１は、図１〜３に示したＨＯ開始状態判定部１１の代わりにＨＯ開始状態判定部３１１を含む。なお、ＨＯ開始状態判定部３１１は、図１２に示すようにＵＥ５に配置されてもよい。
【００５６】
本実施の形態に係るＨＯ開始状態判定部３１１は、サービングセル６１と隣接セル６２の間のハンドオーバ特性が劣化した場合に限り、２つのＨＯ開始条件並びに２つのＴＴＴ（ＴＴＴ１及びＴＴＴ２）を用いて第１及び第２のＨＯ開始状態を判定する。ハンドオーバ特性の劣化は、サービングセル６１から隣接セル６２へのハンドオーバ失敗（Too Late Handover, Too Early Handover, Handover to Wrong Cell）の発生頻度、サービングセル６１と隣接セル６２の間のピンポン・ハンドオーバの発生頻度、又は隣接セル62の滞在時間が短いことによるラピッド・ハンドオーバの発生頻度が基準レベルを超えたことによって判定すればよい。一方、サービングセル６１と隣接セル６２の間のハンドオーバ特性が良好な場合は、これとは異なる他のＨＯ開始状態の判定方法を適用する。例えば、２つのＨＯ開始条件並びに２つのＴＴＴ（ＴＴＴ１及びＴＴＴ２）を用いた２つのＨＯ開始状態の判定を行わずに、１つのＨＯ開始条件及び１つのＴＴＴ（例えば第１のＨＯ開始条件及びＴＴＴ１）を用いた１つのＨＯ開始状態（例えば第１のＨＯ開始状態）の判定のみを行えばよい。
【００５７】
判定条件切替部１４は、ＨＯ履歴情報１３を参照することで、サービングセル６１と隣接セル６２の間のハンドオーバ特性の劣化を判定する。セル６１及び６２の間のハンドオーバ特性の劣化の有無に応じて、判定条件切替部１４は、ＨＯ開始状態判定部３１１に使用されるＨＯ開始状態の判定条件（ＨＯ開始状態の必要条件）を切り替える。
【００５８】
ＨＯ履歴情報１３は、ＨＯ試行回数、ＨＯ失敗回数、ピンポン・ハンドオーバ、ラピッド・ハンドオーバの発生履歴等を含めばよい。ピンポン・ハンドオーバ及びラピッド・ハンドオーバの発生履歴に代えて、隣接セル６２へのＵＥの滞在時間の情報を記録してもよい。ＨＯ試行回数は、ＨＯ制御部１２によってサービングセル６１から隣接セル６２へのハンドオーバが開始されたことをカウントすればよい。ＨＯ失敗回数は、サービングセル６１から隣接セル６２へのハンドオーバが完了しなかったことを示すメッセージ、若しくはハンドオーバが早すぎたことを示すメッセージ、又はこれら両方の隣接セル側のＨＯ制御部２２からの受信をカウントすればよい。具体的には、ＨＯ制御部２２からのRadio Link Failure Indicationメッセージ、Handover Reportメッセージ等の受信をカウントすればよい。また、ピンポン・ハンドオーバ及びラピッド・ハンドオーバの発生履歴は、隣接セル６２からサービングセル６１へのハンドオーバの際に、ＨＯ制御部２２からＨＯ制御部１２に提供される"ＵＥの滞在セル履歴"を記録すればよい。ピンポン・ハンドオーバ及びラピッド・ハンドオーバの発生履歴は、サービングセル６１から隣接セル６２へのハンドオーバの際に、ＵＥからＨＯ制御部１２に提供される "ＵＥの滞在セル履歴"を記録してもよい。例えば、Ｅ−ＵＴＲＡＮでは、隣接セル６２からサービングセル６１へのハンドオーバの際に、ＵＥに関する情報（UE context）の１つとしてＨＯ制御部２２からＨＯ制御部１２にUE history informationが送信される。UE history informationは、ＵＥが接続したセルの履歴、接続時刻等を含む。
【００５９】
図１３は、本実施の形態に係るＨＯ開始状態の判定条件の切り替え手順の具体例を示すフローチャートである。図１３の例では、ＨＯ失敗の頻度（失敗率）を指標としてＨＯ開始状態の判定条件の切り替えを行う例を示している。ステップＳ４１では、判定条件切替部１４は、ＨＯ履歴情報１３に記録されているＨＯ試行回数及びＨＯ失敗回数を参照し、隣接セル６２を含む複数の隣接セルの各々についてＨＯ失敗率を計算する。ＨＯ失敗率は、予め定められた集計期間（例えば、直近の１時間、１日、１週間等）でのＨＯ試行回数及びＨＯ失敗回数を用いて計算すればよい。
【００６０】
ステップＳ４２では、判定条件切替部１４は、計算したＨＯ失敗率が所定の閾値ＴＨＲ１を超えるか否かを隣接セル毎に判定する。判定条件切替部１４は、ＨＯ失敗率が閾値ＴＨＲ１を超える隣接セルに関する判定に対してハンドオーバ特性が悪い場合のＨＯ開始状態の判定条件を使用するようＨＯ開始状態判定部３１１に通知する（ステップＳ４３）。また、判定条件切替部１４は、ＨＯ失敗率が閾値ＴＨＲ１以下である隣接セルに関する判定に対してハンドオーバ特性が良い場合のＨＯ開始状態の判定条件を使用するようＨＯ開始状態判定部３１１に通知する（ステップＳ４４）。
【００６１】
本実施の形態によれば、サービングセル６１と隣接セル６２の間のハンドオーバ特性の変化が生じた場合に、自動的にハンドオーバ特性に適したＨＯ開始状態の判定条件を使用することができ、ハンドオーバ特性を改善することができる。
【００６２】
＜発明の実施の形態４＞
本実施の形態では、上述した発明の実施の形態１の変形例について説明する。図１４は、本実施の形態に係るネットワークの構成例を示す図である。図１１は、図１〜３に示したＨＯ開始状態判定部１１の代わりにＨＯ開始状態判定部４１１を含む。ＨＯ開始状態判定部４１１は、ＵＥ５に配置されてもよい。
【００６３】
本実施の形態に係るＨＯ開始状態判定部４１１は、サービングセル６１と隣接セル６２との間でのToo Earlyハンドオーバ、ピンポン・ハンドオーバ、及びラピッド・ハンドオーバのうち少なくとも１項目の発生頻度に応じて、第２のＨＯ開始条件に適用するＴＴＴ２及び閾値ＴＨ３（又はＴＨ４）の少なくとも一方を調整する。具体的には、Too Earlyハンドオーバ、ピンポン・ハンドオーバ、及びラピッド・ハンドオーバのうち少なくとも１項目の発生頻度が大きくなるにつれて、ＴＴＴ２を長くする、又は閾値ＴＨ３（ＴＨ４）を大きくすればよい。これにより、移動速度が相対的に大きいＵＥの隣接セル６２へのハンドオーバが抑制されるため、Too Earlyハンドオーバ、ピンポン・ハンドオーバ及びラピッド・ハンドオーバの発生を抑えることができる。
【００６４】
ＨＯパラメータ調整部１５は、ＨＯ履歴情報１３を参照することで、サービングセル６１と隣接セル６２の間のToo Earlyハンドオーバ、ピンポン・ハンドオーバ、及びラピッド・ハンドオーバのうち少なくとも１項目の発生頻度を計算する。さらに、ＨＯパラメータ調整部１５は、計算した発生頻度に応じて、ＨＯ開始状態判定部４１１に適用されるＴＴＴ２及びＴＨ３（ＴＨ４）のうち少なくとも一方を変更する。
【００６５】
図１５は、本実施の形態に係るＨＯパラメータの調整手順の具体例を示すフローチャートである。なお、図１５の例では、ピンポン・ハンドオーバの発生頻度を考慮しているが、これに代えてToo Earlyハンドオーバ又はラピッド・ハンドオーバの発生頻度を考慮してもよい。また、ピンポン・ハンドオーバ、ラピッド・ハンドオーバ、及びToo Earlyハンドオーバの全項目の発生頻度を考慮してもよい。ステップＳ５１では、ＨＯパラメータ調整部１５は、ＨＯ履歴情報１３に記録されているピンポン・ハンドオーバの発生履歴を参照し、サービングセル６１と隣接セル６２の間のピンポン・ハンドオーバの発生回数の全ハンドオーバ回数に対する比率（ピンポン・ハンドオーバ発生率）を計算する。ステップＳ５２では、ＨＯパラメータ調整部１５は、ピンポン・ハンドオーバ発生率が所定の閾値ＴＨＲ２を超えるか否かを判定する。ピンポン・ハンドオーバ発生率が閾値ＴＨＲ２を超える場合（ステップＳ５２でＹＥＳ）、ＨＯパラメータ調整部１５は、ＴＴＴ２を長くするか、閾値ＴＨ３（ＴＨ４）を大きくする（ステップＳ５３）。一方、ピンポン・ハンドオーバ発生率が閾値ＴＨＲ２以下である場合（ステップＳ５２でＮＯ）、ＨＯパラメータ調整部１５は、ＴＴＴ２を短くするか、閾値ＴＨ３（ＴＨ４）を小さくする（ステップＳ５４）。
【００６６】
なお、隣接セル毎に異なるＴＴＴ２、ＴＨ３（ＴＨ４）を設定可能である場合、ＨＯパラメータ調整部１５は、Too Earlyハンドオーバ及びピンポン・ハンドオーバの少なくとも一方の発生頻度を隣接セル毎に求め、隣接セル毎にＴＴＴ２又はＴＨ３（ＴＨ４）を設定してもよい。
【００６７】
本実施の形態によれば、Too Earlyハンドオーバ、ピンポン・ハンドオーバ、及びラピッド・ハンドオーバのうち少なくとも１項目の発生頻度が大きい場合にＴＴＴ２又はＴＨ３（ＴＨ４）が大きくなるよう調整することで、移動速度が相対的に大きいＵＥの隣接セル６２へのハンドオーバが抑制され、Too Earlyハンドオーバ、ピンポン・ハンドオーバ及びラピッド・ハンドオーバの発生を抑えることができる。
【００６８】
＜発明の実施の形態５＞
本実施の形態では、上述した発明の実施の形態１の変形例について説明する。本実施の形態に係るネットワークの構成例は、発明の実施の形態４に関する図１４と同様とすればよい。本実施の形態では、サービングセル６１から隣接セル６２へのハンドオーバ失敗の発生頻度に応じて、第１のＨＯ開始条件に適用する閾値ＴＨ１を変更する。具体的には、ハンドオーバ失敗（Too Late HO）の発生頻度が大きくなるにつれて、閾値ＴＨ１を大きくすればよい。これにより、ＵＥ５の位置におけるサービングセル６１の無線品質が大きく劣化する前にいち早く隣接セル６２へのハンドオーバが開始されるようになるため、ハンドオーバ失敗（Too Late HO）を抑制できる。
【００６９】
図１６は、本実施の形態に係るＨＯパラメータの調整手順の具体例を示すフローチャートである。ステップＳ６１では、ＨＯパラメータ調整部１５は、ＨＯ履歴情報１３に記録されているハンドオーバ失敗（Too Late HO）の発生履歴を参照し、サービングセル６１から隣接セル６２へのToo Late ハンドオーバの発生回数の全ハンドオーバ回数に対する比率（Too Lateハンドオーバ発生率）を計算する。ステップＳ６２では、ＨＯパラメータ調整部１５は、Too Lateハンドオーバ発生率が所定の閾値ＴＨＲ３を超えるか否かを判定する。Too Lateハンドオーバ発生率が閾値ＴＨＲ３を超える場合（ステップＳ６２でＹＥＳ）、ＨＯパラメータ調整部１５は、閾値ＴＨ１を大きくする（ステップＳ６３）。一方、Too Lateハンドオーバ発生率が閾値ＴＨＲ３以下である場合（ステップＳ６２でＮＯ）、ＨＯパラメータ調整部１５は、閾値ＴＨ１を小さくする（ステップＳ６４）。
【００７０】
なお、隣接セル毎に異なるＴＨ１を設定可能である場合、ＨＯパラメータ調整部１５は、隣接セル毎のハンドオーバ失敗の発生頻度を求め、隣接セル毎にＴＨ１を設定してもよい。
【００７１】
本実施の形態によれば、ハンドオーバ失敗（Too Late HO）の発生頻度が大きい場合に閾値ＴＨ１が大きくなるよう調整することで、隣接セル６２へのハンドオーバがいち早く開始されるようになり、ハンドオーバ失敗（Too Late HO）の発生を抑えることができる。
【００７２】
＜発明の実施の形態６＞
本実施の形態では、上述した発明の実施の形態１の変形例について説明する。図１７は、本実施の形態に係るネットワークの構成例を示す図である。図１７は、図１〜３に示したＨＯ開始状態判定部１１の代わりにＨＯ開始状態判定部６１１を含む。ＨＯ開始状態判定部６１１は、ＵＥ５に配置されてもよい。本実施の形態に係るＨＯ開始状態判定部６１１は、ＨＯパラメータ調整部１７の指示に応じて、第２のＨＯ開始条件に適用するＴＴＴ２を調整する。
【００７３】
ＨＯパラメータ調整部１７は、隣接セル６２でのＵＥの滞在時間を示す統計情報１６に基づき、隣接セル６２を通過するＵＥのうち実質的に所定の割合が隣接セル６２へのハンドオーバを行うように、第２のＨＯ開始条件に適用されるＴＴＴ２を調整する。隣接セル６２でのＵＥの滞在時間を示す統計情報１６は、サービングセル６１に接続するＵＥ５からの報告によって取得すればよい。また、統計情報１６は、隣接セル６２を管理する基地局４とのシグナリング、又はＨＯ制御装置２００とのシグナリングによって取得されてもよい。また、統計情報１６は、通信事業者のＥＭＳ又はＮＭＳから取得されてもよい。
【００７４】
図１８のグラフは、隣接セルでのＵＥの滞在時間の累積分布関数（Cumulative Distribution Function（ＣＤＦ）の２つの例を示している。破線で示した隣接セルＡのＣＤＦは、ＵＥの平均的な移動速度が大きく、隣接セルでの平均的な滞在時間が短い例を示している。これに対して、実線で示した隣接セルＢのＣＤＦは、ＵＥの平均的な移動速度が小さく、隣接セルでの平均的な滞在時間が長い例を示している。ＨＯパラメータ調整部１７は、隣接セル６２を通過する複数のＵＥのうち実質的にＸパーセント（例えば９５パーセント）のＵＥが隣接セル６２にハンドオーバするようにＴＴＴ２を調整する。最も簡便には、図１８に示したＣＤＦにおいて滞在時間の短い方から（１００−Ｘ）パーセントに対応するＵＥの滞在時間をＴＴＴ２とすればよい。なお、ハンドオーバの開始から完了までに要する平均的な時間を考慮して、ＴＴＴ２の値をさらに調整してもよい。図１８の例では、ＵＥの平均的な移動速度が大きい隣接セルＡに対しては相対的に小さいＴＴＴ２＿Ａが採用され、ＵＥの平均的な移動速度が小さい隣接セルＡに対しては相対的に大きいＴＴＴ２＿Ｂが採用される。
【００７５】
図１９は、本実施の形態に係るＨＯパラメータの調整手順の具体例を示すフローチャートである。ステップＳ７１では、ＨＯパラメータ調整部１７は、隣接セル６２での隣接セル６２での滞在時間の統計を用いて、滞在時間の短い方から（１００−Ｘ）パーセントに対応する時間を計算する。ステップＳ７２では、ＨＯパラメータ調整部１７は、得られた（１００−Ｘ）パーセントに対応する時間をＴＴＴ２に設定する。上述したように、ＨＯパラメータ調整部１７は、ハンドオーバの開始から完了までに要する平均的な時間を考慮して、（１００−Ｘ）パーセントに対応する時間に調整を加えた値をＴＴＴ２に設定してもよい。
【００７６】
本実施の形態によれば、ＴＴＴ２が長すぎるために隣接セル６２へのハンドオーバが殆ど発生しない状況を回避できる。つまり、本実施の形態によれば、サービングセル６１のトラフィックを隣接セル６２にオフロードすることによる負荷分散、隣接セル６２による高速サービスの提供等を効率的に行うことができる。
【００７７】
＜その他の実施の形態＞
上述した発明の実施の形態２〜６は、それぞれを発明の実施の形態１の変形として説明したが、これらの実施の形態２〜６は適宜組み合わせてもよい。
【００７８】
発明の実施の形態１〜６で述べたＨＯ開始状態の判定処理、ＨＯ開始状態の判定条件の切り替え処理、及びＨＯパラメータの調整処理は、いずれもＡＳＩＣ（Application Specific Integrated Circuit）、ＤＳＰ（Digital Signal Processor）等の半導体処理装置を用いて実現してもよい。また、これらの処理は、マイクロプロセッサ等のコンピュータにプログラムを実行させることによって実現してもよい。具体的には、図４、６、７、１０、１３、１５、１６、１９のうち少なくとも１つに示したアルゴリズムをコンピュータに行わせるための命令群を含むプログラムを作成し、当該プログラムをコンピュータに供給すればよい。
【００７９】
このプログラムは、様々なタイプの非一時的なコンピュータ可読媒体（non-transitory computer readable medium）を用いて格納され、コンピュータに供給される。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８０】
さらに、本発明は上述した実施の形態のみに限定されるものではなく、既に述べた本発明の要旨を逸脱しない範囲において種々の変更が可能であることは勿論である。
【００８１】
この出願は、２０１０年１２月２８日に出願された日本出願特願２０１０−２９１４９８を基礎とする優先権を主張し、その開示の全てをここに取り込む。
【符号の説明】
【００８２】
３  基地局
４  基地局
５  移動局
１１  ハンドオーバ（ＨＯ）開始状態判定部
１２  ハンドオーバ（ＨＯ）制御部
１３  ハンドオーバ（ＨＯ）履歴情報
１４  判定条件切替部
１５  ハンドオーバ（ＨＯ）パラメータ調整部
１６  統計情報
１７  ハンドオーバ（ＨＯ）パラメータ調整部
２２  ハンドオーバ（ＨＯ）制御部
５１  送信部
６１  サービングセル
６２  隣接セル
７１  ＲＮＣ（Radio Network Controller）
７２  ＲＮＣ（Radio Network Controller）
１００  ハンドオーバ（ＨＯ）制御装置
２００  ハンドオーバ（ＨＯ）制御装置
２１１  ハンドオーバ（ＨＯ）開始状態判定部
３１１  ハンドオーバ（ＨＯ）開始状態判定部
４１１  ハンドオーバ（ＨＯ）開始状態判定部
６１１  ハンドオーバ（ＨＯ）開始状態判定部
【図１】
2012090357.tif 000003
【図２】
2012090357.tif 000004
【図３】
2012090357.tif 000005
【図４】
2012090357.tif 000006
【図５】
2012090357.tif 000007
【図６】
2012090357.tif 000008
【図７】
2012090357.tif 000009
【図８】
2012090357.tif 000010
【図９】
2012090357.tif 000011
【図１０】
2012090357.tif 000012
【図１１】
2012090357.tif 000013
【図１２】
2012090357.tif 000014
【図１３】
2012090357.tif 000015
【図１４】
2012090357.tif 000016
【図１５】
2012090357.tif 000017
【図１６】
2012090357.tif 000018
【図１７】
2012090357.tif 000019
【図１８】
2012090357.tif 000020
【図１９】
2012090357.tif 000021
【手続補正書】
【提出日】平成25年6月3日(2013.6.3)
【手続補正２】
【補正対象書類名】特許請求の範囲
【補正対象項目名】請求項３２
【補正方法】変更
【補正の内容】
【請求項３２】
請求項２０〜２４のいずれか１項に記載の制御装置と結合して使用され、前記ハンドオーバの履歴に基づき、前記第１のセルと前記第２のセルの間でのToo Earlyハンドオーバ、ピンポン・ハンドオーバ、及びラピッド・ハンドオーバのうち少なくとも１項目の発生頻度を抑えるために、前記第２の待機時間を過去値より長くするパラメータ調整手段を備える、請求項３１に記載の調整装置。
【手続補正３】
【補正対象書類名】特許請求の範囲
【補正対象項目名】請求項３６
【補正方法】変更
【補正の内容】
【請求項３６】
第１のセルから第２のセルへの移動局のハンドオーバの開始制御をコンピュータに行わせるプログラムであって、
前記開始制御は、ハンドオーバパラメータを用いて前記ハンドオーバの開始の契機とされるハンドオーバ開始状態を判定することを備え、
前記ハンドオーバパラメータは、前記移動局の位置における前記第１のセルの無線品質が第１のレベルである場合に、前記第１のセルの無線品質が前記第１のレベルより高い第２のレベルである場合に比べて、ハンドオーバの開始条件が満足されてから前記ハンドオーバが開始されるまでの遅延時間が短くなるように調整されている、
プログラム。
【国際調査報告】
2012090357.tif 000022
2012090357.tif 000023
2012090357.tif 000024
2012090357.tif 000025